(57)【要約】【課題】画像形成装置本体上に備えるスキャナに水平方向の衝撃が加わっても、スキャナにゆがみが生ずるおそれをなくす。【解決手段】画像形成装置本体１００内に備える構造体８４の前側板８６と後側板８７間の右上に掛け渡して第一支持部材９１が支持され、左上に後側板のみで支えて片持ちの第二支持部材９２が支持される。そして、画像形成装置本体上に、それらの第一支持部材と第二支持部材とでスキャナ２００が支持される。第一支持部材には嵌合凸部９４が、スキャナの筐体の底面９６にはその嵌合凸部がはまり込む嵌合凹部９７が形成されている。【選択図】図４
2007293216.tif 000002
【特許請求の範囲】
【請求項１】
画像形成装置本体上に、前側と後側とで支持される第一支持部材と、後側のみで支持される片持ちの第二支持部材とが左右に間隔をあけて設けられ、それら第一支持部材と第二支持部材とでスキャナが支持される、画像形成装置のスキャナ支持構造において、
前記第一支持部材とその上に載せるスキャナのいずれか一方に嵌合凸部が、他方にその嵌合凸部がはまり込む嵌合凹部が形成されていることを特徴とする、画像形成装置のスキャナ支持構造。
【請求項２】
前記画像形成装置本体内に備える構造体の前側板と後側板間に掛け渡して前記第一支持部材が支持され、前記後側板のみで支えて前記第二支持部材が支持されていることを特徴とする、請求項１に記載の画像形成装置のスキャナ支持構造。
【請求項３】
前記第一支持部材が、板金を折り曲げて、載置面部と、その周囲から下向きに形成される側面部とで、外形がほぼ直方体形状につくられていることを特徴とする、請求項１または２に記載の画像形成装置のスキャナ支持構造。
【請求項４】
前記載置面部に、コ字状の穴をカットし、曲げ起こした切り起こし片が形成され、その切り起こし片が前記スキャナの側面にねじ止めされることを特徴とする、請求項３に記載の画像形成装置のスキャナ支持構造。
【請求項５】
前記第二支持部材が、板材を用いて、起立板部と、その上部から板面方向に直角に曲げて形成される腕板部とで、ほぼＬ形状につくられていることを特徴とする、請求項１ないし４のいずれか１に記載の画像形成装置のスキャナ支持構造。
【請求項６】
前記第二支持部材の外周に絞り形状が形成されていることを特徴とする、請求項５に記載の画像形成装置のスキャナ支持構造。
【請求項７】
前記嵌合凸部が、前記第一支持部材または前記スキャナにピンを固定することにより形成されていることを特徴とする、請求項１ないし６のいずれか１に記載の画像形成装置のスキャナ支持構造。
【請求項８】
前記嵌合凸部の先端が、テーパ形状として先細に形成されていることを特徴とする、請求項１ないし７のいずれか１に記載の画像形成装置のスキャナ支持構造。
【請求項９】
前記嵌合凸部と前記嵌合凹部が、前記画像形成装置本体の前側に形成されていることを特徴とする、請求項１ないし８のいずれか１に記載の画像形成装置のスキャナ支持構造。
【請求項１０】
前記嵌合凹部が、前記第一支持部材または前記スキャナに全周絞り形状で形成されていることを特徴とする、請求項１ないし９のいずれか１に記載の画像形成装置のスキャナ支持構造。
【請求項１１】
前記第一支持部材と前記スキャナのいずれか一方に形成される前記嵌合凸部と、他方に形成される前記嵌合凹部とが、複数組備えられていることを特徴とする、請求項１ないし１０のいずれか１に記載の画像形成装置のスキャナ支持構造。
【請求項１２】
請求項１ないし１１のいずれか１に記載のスキャナ支持構造を備えることを特徴とする、画像形成装置。
【請求項１３】
前記画像形成装置本体と前記スキャナとの間に胴内排紙空間を備えることを特徴とする、請求項１２に記載の画像形成装置。
【請求項１４】
スキャナの上に自動原稿搬送装置を備えることを特徴とする、請求項１２または１３に記載の画像形成装置。
【請求項１５】
画像形成装置本体上に上方からスキャナが取り付けられ、
そのスキャナと、前記画像形成装置本体上で前側と後側とで支持して設ける第一支持部材のいずれか一方に備える嵌合凸部が、他方に備える嵌合凹部にはめ込まれ、
前記第一支持部材と、それと左右に間隔をあけて設け、後側のみで支持する片持ちの第二支持部材とで前記スキャナが支持される、
ことを特徴とする、画像形成装置のスキャナ支持方法。
【請求項１６】
前記画像形成装置本体内に備える構造体の前側板と後側板との間に掛け渡して支持される前記第一支持部材と、前記後側板のみで支えて支持される前記第二支持部材とで前記スキャナが支持されることを特徴とする、請求項１５に記載の画像形成装置のスキャナ支持方法。
【請求項１７】
前記第一支持部材が、板金を折り曲げて、載置面部と、その周囲から下向きに形成する側面部とで、外形がほぼ直方体形状につくられ、その第一支持部材の載置面部に、コ字状の穴をカットし、曲げ起こした切り起こし片が形成され、その切り起こし片が前記スキャナの側面にねじ止めされることを特徴とする、請求項１５または１６に記載の画像形成装置のスキャナ支持方法。
【請求項１８】
前記第二支持部材が、板材を用いて、起立板部と、その上部から板面方向に直角に曲げて形成される腕板部とで、ほぼＬ形状につくられ、その第二支持部材の腕板部が前記スキャナの側面にねじ止めされることを特徴とする、請求項１５または１６に記載の画像形成装置のスキャナ支持方法。
【請求項１９】
前記嵌合凸部が前記嵌合凹部にはめ込まれるとき、テーパ形状として先細に形成されている前記嵌合凸部の先端が前記嵌合凹部内に案内されることを特徴とする、請求項１５ないし１８のいずれか１に記載の画像形成装置のスキャナ支持方法。
【請求項２０】
前記画像形成装置本体上に前記スキャナが取り付けられたとき、複数組の前記嵌合凸部が前記嵌合凹部にはめ込まれることを特徴とする、請求項１５ないし１９のいずれか１に記載の画像形成装置のスキャナ支持方法。
【発明の詳細な説明】
【技術分野】
【０００１】
この発明は、複写機、ファクシミリなどの、例えば電子写真方式を用いた画像形成装置に関する。および、そのような画像形成装置において、作像装置などを内蔵する画像形成装置本体上に、画像情報を読み取るスキャナを支持するスキャナ支持構造に関する。および、画像形成装置本体上にスキャナを支持するスキャナ支持方法に関する。
【背景技術】
【０００２】
最近、例えば電子写真方式を用いた複写機やファクシミリなどの画像形成装置では、省設置スペースの要請から、図７に示すように、作像装置などを内蔵する画像形成装置本体１上に、胴内排紙空間２を形成して、画像情報を読み取るスキャナ３が支持されるものが多くなっている。
【０００３】
そして、スキャナ３で読み取った画像情報や、接続する電話回線を通じて受信した画像情報に基づき、作像装置で形成した画像が、画像形成装置本体１に備える給紙トレイ４から繰り出した記録媒体に転写され、記録済みの記録媒体ｐが胴内排紙空間２に排出されていた。
【０００４】
ところで、このような画像形成装置では、容易に歪みを生じないように、画像形成装置本体１内には、例えば図８に示すように板金材を組み立てた強固な構造体５が備えられ、その構造体５で作像装置や給紙トレイ４などが支持される構成となっていた。また、スキャナ３も、容易に歪みを生ずることがないように、画像形成装置本体１の構造体５に取り付けて支持される構成となっていた。
【０００５】
スキャナ３は、具体的には、例えば画像形成装置本体１上に左右に間隔をあけて設ける第一支持部材６と第二支持部材７を介して支持されていた。ここで、第一支持部材６は、前側板８と後側板９間に掛け渡して取り付けられ、例えば切り起こし片をスキャナ３の右側面にねじ止めしてスキャナ３を固定していた。他方、第二支持部材７は、後側板９でのみ支えて片持ちで支持され、例えば板面をスキャナ３の左側面に当ててねじ止めして固定していた。このようにして、胴内排紙空間２の左手前側の柱をなくすことにより、胴内排紙空間２からの記録済みの記録媒体ｐの取り出しを容易とすることができる。
【０００６】
【特許文献１】特開２００５−３０１１８１号公報
【特許文献２】特開２００１−０５１４６３号公報
【特許文献３】特許第３６２１２５９号公報
【特許文献４】特許第３６０２３２１号公報
【発明の開示】
【発明が解決しようとする課題】
【０００７】
しかし、上述したような従来のスキャナ支持構造では、輸送時や設置時などに、スキャナ３に、図８中矢印ａで示すような水平方向の衝撃力が加わると、第二支持部材７が片持ちであることから、画像形成装置本体１の後側では第一支持部材６および第二支持部材７を介してその衝撃力を左右で受け止めるが、前側では第一支持部材６を介して右側でのみ受け止めることとなり、矢印ｂ、ｃで示すようにスキャナ３の変動量は後側よりも前側の方が大きくなって第一支持部材６に大きな負荷が加わり、ときには第一支持部材６の、例えば切り起こし片などが変形することもあった。
【０００８】
また、画像形成装置本体１の側面には、両面ユニットが取り付けられることもあるが、その両面ユニットはスキャナ３の側面にまでは達しておらず、その両面ユニットにおいてスキャナ３の揺動を抑えることは難しく、衝撃を受けることによりスキャナ３がゆがみを生じて平衡度が失われ、精度の良い読み取りが困難となるおそれがあった。
【０００９】
そこで、この発明の第１の目的は、画像形成装置本体上に、前側と後側とで支持される第一支持部材と、後側のみで支持される片持ちの第二支持部材とが左右に間隔をあけて設けられ、それら第一支持部材と第二支持部材とでスキャナが支持される画像形成装置のスキャナ支持構造において、スキャナに水平方向の衝撃が加わっても、スキャナにゆがみが生ずるおそれのないスキャナ支持構造を提供することにある。
【００１０】
この発明の第２の目的は、スキャナに水平方向の衝撃が加わっても、スキャナにゆがみが生ずるおそれのないスキャナ支持構造を備える画像形成装置を提供することにある。
【００１１】
この発明の第３の目的は、画像形成装置本体上に、前側と後側とで支持される第一支持部材と、後側のみで支持される片持ちの第二支持部材とが左右に間隔をあけて設けられ、それら第一支持部材と第二支持部材とでスキャナが支持される画像形成装置のスキャナ支持構造において、スキャナに水平方向の衝撃が加わっても、スキャナにゆがみが生ずるおそれのないスキャナ支持方法を提供することにある。
【課題を解決するための手段】
【００１２】
このため、請求項１に記載の発明は、上述した第１の目的を達成すべく、画像形成装置本体上に、前側と後側とで支持される第一支持部材と、後側のみで支持される片持ちの第二支持部材とが左右に間隔をあけて設けられ、それら第一支持部材と第二支持部材とでスキャナが支持される、画像形成装置のスキャナ支持構造において、
第一支持部材とその上に載せるスキャナのいずれか一方に嵌合凸部が、他方にその嵌合凸部がはまり込む嵌合凹部が形成されていることを特徴とする。
【００１３】
嵌合凸部は、例えばピンなどを立てて形成したり、エンボス加工やバーリング加工などで一体に形成したりする。また、嵌合凹部は、貫通孔を形成したり、同じくエンボス加工やバーリング加工などで一体に凹部を形成したりする。そして、画像形成装置本体上に、上方からスキャナが取り付けられ、そのスキャナと第一支持部材のいずれか一方に備える嵌合凸部が、他方に備える嵌合凹部にはめ込まれ、第一支持部材と片持ちの第二支持部材とでスキャナが支持される。
【００１４】
請求項２に記載の発明は、上述した第１の目的を達成すべく、請求項１に記載の画像形成装置のスキャナ支持構造において、画像形成装置本体内に備える構造体の前側板と後側板間に掛け渡して第一支持部材が支持され、後側板のみで支えて第二支持部材が支持されていることを特徴とする。
【００１５】
請求項３に記載の発明は、上述した第１の目的を達成すべく、請求項１または２に記載の画像形成装置のスキャナ支持構造において、第一支持部材が、板金を折り曲げて、載置面部と、その周囲から下向きに形成される側面部とで、外形がほぼ直方体形状につくられていることを特徴とする。
【００１６】
請求項４に記載の発明は、上述した第１の目的を達成すべく、請求項３に記載の画像形成装置のスキャナ支持構造において、第一支持部材の載置面部に、コ字状の穴をカットし、曲げ起こした切り起こし片が形成され、その切り起こし片がスキャナの側面にねじ止めされることを特徴とする。
【００１７】
請求項５に記載の発明は、上述した第１の目的を達成すべく、請求項１ないし４のいずれか１に記載の画像形成装置のスキャナ支持構造において、第二支持部材が、板材を用いて、起立板部と、その上部から板面方向に直角に曲げて形成される腕板部とで、ほぼＬ形状につくられていることを特徴とする。
【００１８】
請求項６に記載の発明は、上述した第１の目的を達成すべく、請求項５に記載の画像形成装置のスキャナ支持構造において、第二支持部材の外周に絞り形状が形成されていることを特徴とする。
【００１９】
請求項７に記載の発明は、上述した第１の目的を達成すべく、請求項１ないし６のいずれか１に記載の画像形成装置のスキャナ支持構造において、嵌合凸部が、第一支持部材またはスキャナにピンを固定することにより形成されていることを特徴とする。
【００２０】
請求項８に記載の発明は、上述した第１の目的を達成すべく、請求項１ないし７のいずれか１に記載の画像形成装置のスキャナ支持構造において、嵌合凸部の先端が、テーパ形状として先細に形成されていることを特徴とする。
【００２１】
請求項９に記載の発明は、上述した第１の目的を達成すべく、請求項１ないし８のいずれか１に記載の画像形成装置のスキャナ支持構造において、嵌合凸部と嵌合凹部が、画像形成装置本体の前側に形成されていることを特徴とする。
【００２２】
請求項１０に記載の発明は、上述した第１の目的を達成すべく、請求項１ないし９のいずれか１に記載の画像形成装置のスキャナ支持構造において、嵌合凹部が、第一支持部材またはスキャナに全周絞り形状で形成されていることを特徴とする。
【００２３】
請求項１１に記載の発明は、上述した第１の目的を達成すべく、請求項１ないし１０のいずれか１に記載の画像形成装置のスキャナ支持構造において、第一支持部材とスキャナのいずれか一方に形成される嵌合凸部と、他方に形成される嵌合凹部とが、複数組備えられていることを特徴とする。
【００２４】
請求項１２に記載の発明は、上述した第２の目的を達成すべく、画像形成装置において、上記請求項１ないし１１のいずれか１に記載のスキャナ支持構造を備えることを特徴とする。
【００２５】
請求項１３に記載の発明は、上述した第２の目的を達成すべく、請求項１２に記載の画像形成装置において、画像形成装置本体とスキャナとの間に胴内排紙空間を備えることを特徴とする。
【００２６】
請求項１４に記載の発明は、上述した第２の目的を達成すべく、請求項１２または１３に記載の画像形成装置において、スキャナの上に自動原稿搬送装置を備えることを特徴とする。
【００２７】
請求項１５に記載の発明は、上述した第３の目的を達成すべく、画像形成装置のスキャナ支持方法であって、
画像形成装置本体上に上方からスキャナが取り付けられ、
そのスキャナと、画像形成装置本体上で前側と後側とで支持して設ける第一支持部材のいずれか一方に備える嵌合凸部が、他方に備える嵌合凹部にはめ込まれ、
第一支持部材と、それと左右に間隔をあけて設け、後側のみで支持する片持ちの第二支持部材とでスキャナが支持される、ことを特徴とする。
【００２８】
請求項１６に記載の発明は、上述した第３の目的を達成すべく、請求項１５に記載の画像形成装置のスキャナ支持方法において、画像形成装置本体内に備える構造体の前側板と後側板との間に掛け渡して支持される第一支持部材と、後側板のみで支えて支持される第二支持部材とでスキャナが支持されることを特徴とする。
【００２９】
請求項１７に記載の発明は、上述した第３の目的を達成すべく、請求項１５または１６に記載の画像形成装置のスキャナ支持方法において、第一支持部材が、板金を折り曲げて、載置面部と、その周囲から下向きに形成する側面部とで、外形がほぼ直方体形状につくられ、その第一支持部材の載置面部に、コ字状の穴をカットし、曲げ起こした切り起こし片が形成され、その切り起こし片がスキャナの側面にねじ止めされることを特徴とする。
【００３０】
請求項１８に記載の発明は、上述した第３の目的を達成すべく、請求項１５または１６に記載の画像形成装置のスキャナ支持方法において、第二支持部材が、板材を用い、起立板部と、その上部から板面方向に直角に曲げて形成される腕板部とで、ほぼＬ形状につくられ、その第二支持部材の腕板部がスキャナの側面にねじ止めされることを特徴とする。
【００３１】
請求項１９に記載の発明は、上述した第３の目的を達成すべく、請求項１５ないし１８のいずれか１に記載の画像形成装置のスキャナ支持方法において、嵌合凸部が嵌合凹部にはめ込まれるとき、テーパ形状として先細に形成されている嵌合凸部の先端が嵌合凹部内に案内されることを特徴とする。
【００３２】
請求項２０に記載の発明は、上述した第３の目的を達成すべく、請求項１５ないし１９のいずれか１に記載の画像形成装置のスキャナ支持方法において、画像形成装置本体上にスキャナが取り付けられたとき、複数組の嵌合凸部が嵌合凹部にはめ込まれることを特徴とする。
【発明の効果】
【００３３】
請求項１に記載の発明によれば、画像形成装置本体上に上方からスキャナが取り付けられたとき、そのスキャナと第一支持部材のいずれか一方に備える嵌合凸部が、他方に備える嵌合凹部にはめ込まれ、第一支持部材と第二支持部材とでスキャナが支持されるので、嵌合凸部と嵌合凹部とのはめ合わせによって、スキャナに水平方向の衝撃が加わったときにも、その衝撃により嵌合凸部に加わるせん断方向の力を高強度の嵌合凸部で受けて、スキャナにゆがみが生ずるおそれのないスキャナ支持構造を提供することができる。
【００３４】
請求項２に記載の発明によれば、画像形成装置本体内に備える構造体の前側板と後側板間に掛け渡して第一支持部材が支持され、また後側板のみで支えて第二支持部材が支持されているので、第一の支持部材および第二の支持部材がともに板金材を組み立てた強固な構造体で支持されることとなり、スキャナにゆがみが生ずるおそれのないスキャナ支持構造を提供することができる。
【００３５】
請求項３に記載の発明によれば、第一支持部材が、板金を折り曲げて、載置面部と、その周囲から下向きに形成される側面部とで、外形がほぼ直方体形状につくられているので、第一支持部材自体が強固につくられ、スキャナにゆがみが生ずるおそれのないスキャナ支持構造を提供することができる。
【００３６】
請求項４に記載の発明によれば、第一支持部材の載置面部に、コ字状の穴をカットし、曲げ起こした切り起こし片が形成され、その切り起こし片がスキャナの側面にねじ止めされるので、簡単な構成で確実にスキャナが第一支持部材に取り付けられ、スキャナにゆがみが生ずるおそれのないスキャナ支持構造を提供することができる。
【００３７】
請求項５に記載の発明によれば、第二支持部材が、板材を用いて、起立板部と、その上部から板面方向に直角に曲げて形成される腕板部とで、ほぼＬ形状につくられているので、第二支持部材の板面がスキャナの側面に重ね合わされて、ねじ止め等により簡単な構成で確実にスキャナが第二支持部材に取り付けられ、スキャナにゆがみが生ずるおそれのないスキャナ支持構造を提供することができる。
【００３８】
請求項６に記載の発明によれば、第二支持部材の外周に絞り形状が形成されているので、第二支持部材自体が強固につくられ、スキャナにゆがみが生ずるおそれのないスキャナ支持構造を提供することができる。
【００３９】
請求項７に記載の発明によれば、嵌合凸部が、第一支持部材またはスキャナにピンを固定することにより形成されているので、簡単な構成で確実に形成され、スキャナにゆがみが生ずるおそれのないスキャナ支持構造を提供することができる。
【００４０】
請求項８に記載の発明によれば、嵌合凸部の先端が、テーパ形状として先細に形成されているので、テーパ形状によりガイドして嵌合凸部と嵌合凹部とのはめ合わせが容易とされるとともに、嵌合凸部と嵌合凹部とのはめ合いにより、スキャナにゆがみが生ずるおそれのないスキャナ支持構造を提供することができる。
【００４１】
請求項９に記載の発明によれば、嵌合凸部と嵌合凹部が、画像形成装置本体の前側に形成されているので、水平方向の衝撃に弱い前側で嵌合凸部と嵌合凹部とがはめ合わされて、スキャナに水平方向の衝撃が加わったとき、その衝撃により嵌合凸部に加わるせん断方向の力を高強度の嵌合凸部で受けて、スキャナにゆがみが生ずるおそれのないスキャナ支持構造を提供することができる。
【００４２】
請求項１０に記載の発明によれば、嵌合凹部が、第一支持部材またはスキャナに全周絞り形状で形成されているので、全周絞り形状によりガイドして嵌合凹部と嵌合凸部とのはめ合わせが容易とされるとともに、嵌合凹部の周囲の強度を増大して変形が防止され、衝撃により嵌合凹部に加わる力を嵌合凹部で確実に受けて、スキャナにゆがみが生ずるおそれのないスキャナ支持構造を提供することができる。
【００４３】
請求項１１に記載の発明によれば、嵌合凸部と嵌合凹部とが複数組備えられているので、複数組の嵌合凸部と嵌合凹部とのはめ合わせによって、スキャナに水平方向の衝撃が加わったときにも、その衝撃により嵌合凸部に加わるせん断方向の力を複数の高強度の嵌合凸部で受けて、一層スキャナにゆがみが生ずるおそれのないスキャナ支持構造を提供することができる。
【００４４】
請求項１２に記載の発明によれば、画像形成装置において、請求項１ないし１１のいずれか１に記載のスキャナ支持構造を備えるので、嵌合凸部と嵌合凹部とのはめ合わせによって、スキャナに水平方向の衝撃が加わったときにも、その衝撃により嵌合凸部に加わるせん断方向の力を高強度の嵌合凸部で受けて、スキャナにゆがみが生ずるおそれのないスキャナ支持構造を備える画像形成装置を提供することができる。
【００４５】
請求項１３に記載の発明によれば、画像形成装置本体とスキャナとの間に胴内排紙空間を備え、水平方向の衝撃力が加わったときに前側が弱い画像形成装置にあって、嵌合凸部と嵌合凹部とのはめ合わせによって、スキャナに水平方向の衝撃が加わったときにも、その衝撃により嵌合凸部に加わるせん断方向の力を高強度の嵌合凸部で受けて、スキャナにゆがみが生ずるおそれのないスキャナ支持構造を備える画像形成装置を提供することができる。
【００４６】
請求項１４に記載の発明によれば、スキャナの上に自動原稿搬送装置を備え、画像形成装置本体上にスキャナだけでなく自動原稿搬送装置の荷重まで加わっている画像形成装置にあっても、嵌合凸部と嵌合凹部とのはめ合わせによって、スキャナに水平方向の衝撃が加わったときにも、その衝撃により嵌合凸部に加わるせん断方向の力を高強度の嵌合凸部で受けて、スキャナにゆがみが生ずるおそれのないスキャナ支持構造を備える画像形成装置を提供することができる。
【００４７】
請求項１５に記載の発明によれば、画像形成装置本体上に上方からスキャナが取り付けられたとき、そのスキャナと第一支持部材のいずれか一方に備える嵌合凸部が、他方に備える嵌合凹部にはめ込まれ、第一支持部材と第二支持部材とでスキャナが支持されるので、嵌合凸部と嵌合凹部とのはめ合わせによって、スキャナに水平方向の衝撃が加わったときにも、その衝撃により嵌合凸部に加わるせん断方向の力を高強度の嵌合凸部で受けて、スキャナにゆがみが生ずるおそれのないスキャナ支持方法を提供することができる。
【００４８】
請求項１６に記載の発明によれば、画像形成装置本体内に備える構造体の前側板と後側板間に掛け渡して第一支持部材が支持され、また後側板のみで支えて第二支持部材が支持されているので、第一の支持部材および第二の支持部材がともに板金材を組み立てた強固な構造体で支持されることとなり、スキャナにゆがみが生ずるおそれのないスキャナ支持方法を提供することができる。
【００４９】
請求項１７に記載の発明によれば、第一支持部材が、板金を折り曲げて、載置面部と、その周囲から下向きに形成される側面部とで、外形がほぼ直方体形状につくられているので、第一支持部材自体が強固につくられ、第一支持部材の載置面部に、コ字状の穴をカットし、曲げ起こした切り起こし片が形成され、その切り起こし片がスキャナの側面にねじ止めされるので、簡単な構成で確実にスキャナが第一支持部材に取り付けられ、スキャナにゆがみが生ずるおそれのないスキャナ支持方法を提供することができる。
【００５０】
請求項１８に記載の発明によれば、第二支持部材が、板材を用いて、起立板部と、その上部から板面方向に直角に曲げて形成される腕板部とで、ほぼＬ形状につくられているので、第二支持部材の板面がスキャナの側面に重ね合わされて、ねじ止め等により簡単な構成で確実にスキャナが第二支持部材に取り付けられ、スキャナにゆがみが生ずるおそれのないスキャナ支持方法を提供することができる。
【００５１】
請求項１９に記載の発明によれば、嵌合凸部が嵌合凹部にはめ込まれるとき、テーパ形状として先細に形成されている嵌合凸部の先端が嵌合凹部内に案内されるので、テーパ形状によりガイドして嵌合凸部と嵌合凹部とのはめ合わせが容易とされるとともに、嵌合凸部と嵌合凹部とのはめ合いにより、スキャナにゆがみが生ずるおそれのないスキャナ支持方法を提供することができる。
【００５２】
請求項２０に記載の発明によれば、画像形成装置本体上にスキャナが取り付けられたとき、複数組の嵌合凸部が嵌合凹部にはめ込まれるので、複数組の嵌合凸部と嵌合凹部とのはめ合わせによって、スキャナに水平方向の衝撃が加わったときにも、その衝撃により嵌合凸部に加わるせん断方向の力を複数の高強度の嵌合凸部で受けて、一層スキャナにゆがみが生ずるおそれのないスキャナ支持方法を提供することができる。
【発明を実施するための最良の形態】
【００５３】
以下、図面を参照しつつ、この発明の実施の最良形態につき説明する。
図１には、複写機能とファクシミリ機能とプリンタ機能を併せて備える複合機であるカラー画像形成装置の外観を示す。
【００５４】
図中符号１００は画像形成装置の画像形成装置本体、２００はその上に胴内排紙空間３００を形成して取り付けられるスキャナである。図２に示すように、スキャナ２００の上には、自動原稿搬送装置（ＡＤＦ）４００が、装置後方の回動軸を中心として装置正面側が上下に開閉可能に取り付けられるが、図１ではそれが取り除かれて示されている。また、画像形成装置本体１００の右側面には、両面ユニット５００が左右に開閉可能に取り付けられている。
【００５５】
画像形成装置本体１００の正面には、上段に正面カバー１０が前後に開閉自在に備えられ、下段に給紙トレイ１２が手前側に引き出し自在に二段に備えられている。また、スキャナ２００の手前には、操作パネル１４が設けられている。そして、この画像形成装置では、画像形成装置本体１００とスキャナ２００との間に胴内排紙空間３００を形成することにより、設置スペースを小さくしている。また、正面カバー１０や両面ユニット５００を開閉することにより、部品交換や保守点検などのメンテナンスを可能としている。
【００５６】
図２には、図１に示すカラー画像形成装置のスキャナ２００上に自動原稿搬送装置４００が取り付けられ、給紙テーブル６００上に載置して設置された状態が示されている。
【００５７】
画像形成装置本体１００内には、作像装置１６が備えられている。作像装置１６には、シアン、マゼンタ、イエロ、ブラックの４つの作像ステーション２０ｃ、２０ｍ、２０ｙ、２０ｂがタンデム式に並べて設けられる。各作像ステーション２０ｃ、２０ｍ、２０ｙ、２０ｂには、それぞれドラム状の像担持体として、感光体２１ｃ、２１ｍ、２１ｙ、２１ｂが備えられている。
【００５８】
そして、その各感光体２１ｃ、２１ｍ、２１ｙ、２１ｂの図中時計まわりの回転にともない、各作像ステーション２０ｃ、２０ｍ、２０ｙ、２０ｂでは、まず各帯電装置でバイアス電圧を印加して表面が一様に帯電される。次いで、スキャナ２００による読取信号に基づき共通の書込み装置２３から、それぞれレーザ光を照射することにより書込みが行われ、感光体２１ｃ、２１ｍ、２１ｙ、２１ｂ上に静電潜像が形成される。その後、各現像装置で、粉体であるトナーを付着してその静電潜像が可視像化され、感光体２１ｃ、２１ｍ、２１ｙ、２１ｂ上に各々各色単色画像が形成される。
【００５９】
感光体２１ｃ、２１ｍ、２１ｙ、２１ｂの回転とともに、それらの感光体２１ｃ、２１ｍ、２１ｙ、２１ｂに接触して複数のローラに掛けまわす無端ベルト状の中間転写体２５が図中反時計まわりに走行される。そして、各一次転写装置２６ｃ、２６ｍ、２６ｙ、２６ｂにより、感光体２１ｃ、２１ｍ、２１ｙ、２１ｂ上の各色単色画像がシアンから順に中間転写体２５上に一次転写され、転写画像を重ね合わせて中間転写体２５上にフルカラー画像が形成される。
【００６０】
一方、適宜タイミングで給送ローラ２８の１つが選択的に回転され、画像形成装置本体１００内の、対応する給紙トレイ１２から記録媒体Ｐが繰り出され、または給紙テーブル６００の給送ローラ２９の１つが選択的に回転され、給紙テーブル６００内の、対応する給紙トレイ３０から記録媒体Ｐが繰り出され、記録媒体搬送路３１を通して搬送して一対のレジストローラ３２間に突き当てて止められる。
【００６１】
そして、中間転写体２５上のフルカラー画像にタイミングを合わせて一対のレジストローラ３２が回転され、二次転写装置３３によりそのフルカラー画像が記録媒体Ｐに二次転写される。その後、フルカラー画像転写後の記録媒体Ｐは、記録媒体搬送路３１を通してそのまま上方へと搬送され、定着装置３４の定着ニップを通過するとき未定着転写トナーが定着され、排出ローラ３５で排出して画像形成装置本体１００上の胴内排紙空間３００にある排紙トレイ３６上にスタックされる。
【００６２】
一次転写終了後の各感光体２１ｃ、２１ｍ、２１ｙ、２１ｂは、各作像ステーション２０ｃ、２０ｍ、２０ｙ、２０ｂの一次クリーニング装置でクリーニングして転写残トナーが除去されて初期化される。また、二次転写終了後の中間転写体２５は、二次クリーニング装置３８でクリーニングして転写残トナーが除去されて初期化される。図中符号３９ｃ、３９ｍ、３９ｙ、３９ｂは、それぞれ各色現像装置にトナーを補給する各色トナーボトルである。
【００６３】
スキャナ２００には、スキャナフレーム４０と、これの上部に固定された大判の第１コンタクトガラス４１、細長な第２コンタクトガラス４２とで構成した筐体を備えてなる。筐体内には、光源４４や第１ミラー４５を有する不図示の第１走行体と、第２ミラー４７や第３ミラー４８を有する第２走行体４９とが、後者が前者の１／２の速度で第１コンタクトガラス４１に沿って走行して第１コンタクトガラス４１上の原稿面を光走査する公知の光学系が備えられている。
【００６４】
そして、光源４４から発せられて原稿面で反射した走査光は、第１ミラー４５、第２ミラー４７、第３ミラー４８上で順次反射して、固定レンズ５０で結像された後、固体撮像素子（ＣＣＤ）５１に取り込まれる。取り込まれた結像データは、デジタル信号として適宜処理され、ファクシミリ機能によって電話回線を介して遠隔地へ送られたり、作像装置１６の書込み装置２３に読取信号として送られたりする。
【００６５】
次に、自動原稿搬送装置４００には、第１コンタクトガラス４１、第２コンタクトガラス４２に向けて原稿を押さえ付ける第１圧板５３、第２圧板５４を有している。そして、図示しない回動軸を中心に回動せしめられることで、コンタクトガラスを境にしてスキャナ２００から見開かれるようになっている。閉じられた状態では、本のような厚い原稿でも第１圧板５３によって第１コンタクトガラス４１に密着せしめることができる。本のように綴じられていないシート状の原稿Ｓについては、複数重ねた束の状態で、原稿積載部５５の可動板５６上に原稿面を上にしてセットすることができる。
【００６６】
そして、スキャン開始命令が操作者の操作によって入力されると、最上部のシート状原稿Ｓに当接している給送ローラ５７が図中矢印方向に回転し、そのシート状原稿Ｓが原稿給送部５８に送られる。このシート状原稿給送部５８では、２枚以上重なった状態でシート状原稿Ｓが送られてきても、分離ローラ対によって確実に１枚ずつ分離されて搬送される。そして、搬送用ローラ対６０、搬送ローラ６１、６２、排出ローラ対６３を順次経て図中矢印方向に排出され、原稿排出トレイ６４上に原稿面を下にしてスタックされる。
【００６７】
また、この排出に至るまでの間に、シート状原稿Ｓが第２圧板５４と第２コンタクトガラス４２の間を通過しているとき、その裏面の画像情報もイメージセンサ６５により読み取ることができる。このとき、スキャナ２００は、第１走行体、第２走行体４９を移動させることなく、光走査を行うことができる。なお、第１圧板５３のシート状原稿Ｓに接する部分には、白色シートが貼り付けてある。これは、シート状原稿Ｓが、裏面が透けるほどに薄い場合には、第１圧板５３の色がスキャナ２００により背景として読み取られてしまうからである。同じ理由で、搬送ローラ６１、第２圧板５４も白色にしてある。
【００６８】
次に、両面ユニット５００には、フレーム７０の内部にスイッチバック路７１と再給送路７２が備えられ、記録媒体の搬送路に片面記録済みの記録媒体Ｐを戻すように、切り換えガイド７３、７４や反転可能なローラ７５や反転可能なローラ７６などが備えられている。反転可能な駆動ローラ７６には、２つのローラ７７、７８が当接しており、このローラ７６が時計方向に回転するときは、ローラ７８と協働して手差し給送トレイ７９からの手差し記録媒体の搬送を行い、反時計方向に回転するときは、ローラ７７と協働してレジストローラ３２の方向に片面記録済みの記録媒体Ｐを再給送させる。
【００６９】
いま、図示画像形成装置で記録媒体Ｐの表裏両面に画像を記録するときには、切り換えガイド７３が図示の状態から時計方向に回動され、定着装置２２を通過した片面記録済みの記録媒体Ｐが、ローラ対８０により搬送路８１に案内されて両面ユニット５００に送り込まれ、切り換えガイド７４で切り換えられてローラ対８２で搬送され、いったんスイッチバック路７１に送り込まれる。
【００７０】
それから、後端を挟んだ状態で、ローラ対８２が逆向きに回転され、かつ切り換えガイド７４が反時計方向に回動されることで、記録媒体Ｐは、スイッチバック路７１でスイッチバックして表裏反転されてから再給送路７２に送り込まれる。そして、いくつかのローラ対により順次搬送されて後、最後にローラ対７６、７７により再び画像形成装置本体１００に入れられて搬送され、レジストローラ対３２に突き当てて止められる。その後、適宜のタイミングで再び二次転写位置へと再給紙され、別途中間転写体２５上に形成した画像が転写されて裏面にも画像を記録して後、再び定着装置３４で定着して排出ローラ３５で排紙トレイ３６上に排出される。
【００７１】
図３には、上にスキャナ２００が取り付けられた、図１および図２に示す画像形成装置本体１００内に備えられる構造体８４の外観を示す。
【００７２】
構造体８４は、歪みを生じないように、板金材を組み立てて強固につくられ、それによって図２に示す作像装置１６や給紙トレイ１２などをはじめとする各種の部品やユニットが支持されている。
【００７３】
具体的には、構造体８４は、矩形板状の本体ベース８５と、その本体ベース８５上に前縁に沿って起立して配置され、本体ベース８５にねじ止めされる前側板８６と、本体ベース８５上に後縁に沿って起立して配置され、同様に本体ベース８５にねじ止めされる後側板８７と、それらの前側板８６と後側板８７との間に掛け渡して取り付けられ、それらの前後側板８６、８７間の距離を維持する何枚かのステー材８８と、後側板８７の左に後方に向けてねじ止めされる左フレーム８９と、後側板８７の右に取り付けられて電源ユニットなどが固定される右フレーム９０とで構成されている。
【００７４】
このような構造体８４には、前後側板８６、８７の右上間に掛け渡してねじ止め等で固定され、画像形成装置本体１００上に前側と後側とで支持して第一支持部材９１が設けられる。第一支持部材９１は、板材を折り曲げて、後述する図４に示すように、載置面部９１ａと、その載置面部９１ａの左右縁および手前縁からそれぞれ下向きに形成してなる側面部９１ｂとで構成され、外形がほぼ直方体形状につくられている。
【００７５】
他方、構造体８４の後側板８７に取り付けられる左フレーム８９には、重ね合わせてねじ止め等で固定されることで、画像形成装置本体１００上に後側のみで支持して片持ちの第二支持部材９２が設けられる。第二支持部材９２は、板材を用いて、起立板部９２ａと、その上部から板面方向に直角に折り曲げて形成される腕板部９２ｂとで、ほぼＬ形状につくられており、剛性を保つために外周に絞り形状９２ｃが形成されている。
【００７６】
図４には、構造体８４上に、上方からスキャナ２００を取り付ける状態が示される。
図示するとおり、第一支持部材９１の載置面部９１ａには、コ字状の穴をカットし、曲げ起こした２つの切り起こし片９１ｃが前後に間隔をあけて形成される。装置後方の切り起こし片９１ｃは、第二支持部材９２のブラケット９５に対向する位置に設けられているとともに、第二支持部材９２の起立板部９２ａ面に対向した位置に設けられている。他方、装置前方の切り起こし片９１ｃは、第二支持部材９２の腕板部９２ｂに対向した位置に設けられている。
【００７７】
また、その手前側の切り起こし片９１ｃの近傍にかしめや圧入などによりピン９３を堅固に固定し、上向きに突出する嵌合凸部９４が形成される。ピン９３は、先端がテーパ形状として先細とされている。このピン９３は、第二支持部材９２のブラケット９５の先端に対向する位置に設けることが好ましいが、そこには切り起こし片９１ｃを曲げ起こすことにより形成された孔があけられている。よって、スキャナ２００の水平方向に力が加わったときにピン９３に衝撃が加わっても、ピン９３が破損しない程度に、切り起こし片９１ｃを曲げ起こすことにより形成された孔から離して設けることが好ましい。他方、第二支持部材９２の内面には、ブラケット９５が前後に間隔をあけて取り付けられる。
【００７８】
そして、上方からスキャナ２００が取り付けられ、スキャナ２００の筐体の底面左側が、第二支持部材９２の２つの前後ブラケット９５で保持される一方、筐体の底面右側が、第一支持部材９１の載置面部９１ａ上に載置される。このとき、スキャナ２００の筐体の底面に設ける嵌合凹部９７に、第一支持部材９１に形成した嵌合凸部９４がはめ込まれるようになっている。
【００７９】
図５には、スキャナ２００の筐体の底面９６に設ける嵌合凹部９７と、第一支持部材９１に形成した嵌合凸部９４との嵌合状態が示される。
図示するように、スキャナ２００の筐体の底面９６には、エンボスやバーリングなどにより絞り加工を行い、全周に絞り形状９８を設けた貫通孔が形成されて嵌合凹部９７が形成されている。
【００８０】
図６には、第一支持部材９１上へのスキャナ２００の載置状態を示す。
スキャナ２００の嵌合凹部９７に、第一支持部材９１の嵌合凸部９４をはめ込んで、スキャナ２００を第一支持部材９１の載置面部９１ａ上に載置して後、図示するごとく切り起こし片９１ｃがスキャナ２００の筐体の右側面にねじ止めされる。
【００８１】
なお、筐体の底面９６左側が、第二支持部材９２の２つの前後ブラケット９５で保持されたスキャナ２００は、図３に示すようにその左側面に第二支持部材９２の腕板部９２ｂが重ね合わされ、ｈ、ｉ、ｊの３ヶ所でねじ止めされる。これにより、スキャナ２００は、構造体８４上に、第一支持部材９１と、それと左右に間隔をあけて設け、後側のみで支持する片持ちの第二支持部材９２とを介して取り付けられ、画像形成装置本体１００上に支持される。
【００８２】
ところで、図示例では、第一支持部材９１に嵌合凸部９４が形成され、スキャナ２００に嵌合凹部９７が形成されたが、いうまでもなく逆に第一支持部材９１に嵌合凹部が形成され、スキャナ２００に嵌合凸部が形成されるようにしてもよい。スキャナ２００に嵌合凸部が形成される場合には、その嵌合凸部を、第一支持部材９１の載置面部９１ａにあけた、切り起こし片９１ｃを曲げ起こすことにより形成された孔にはめ合わすようにすれば、より強固とし、スキャナ２００に加わる水平方向の衝撃に対して、スキャナ２００の移動を防止することができる。
【００８３】
上述した例では、ピン９３が円筒形状である場合について説明したが、ピン９３は、円筒形状に限定されるものではなく、例えば角柱形状にして第一支持部材９１の載置面部９１ａにあけた、切り起こし片９１ｃを曲げ起こすことにより形成された孔にはめ合わすようにしてもよく、そのようにすれば、第一支持部材９１の載置面部９１ａに、ピン９３の形状に合わせた孔を設ける必要がなくなり、作業性を向上することができる。
【００８４】
以上のような構成とすると、画像形成装置本体１００上に上方からスキャナ２００が取り付けられたとき、そのスキャナ２００と第一支持部材９１のいずれか一方に備える嵌合凸部９４が、他方に備える嵌合凹部９７にはめ込まれ、第一支持部材９１と第二支持部材９２とでスキャナ２００が支持されるので、嵌合凸部９４と嵌合凹部９７とのはめ合わせによって、スキャナ２００に水平方向の衝撃が加わっても、水平方向の衝撃により嵌合凸部９４に加わるせん断方向の力を高強度の嵌合凸部９４で受け、第一支持部材９１の切り起こし片９１ｃが力を受けてたわむなどによりスキャナ２００にゆがみが生ずるおそれをなくすことができる。
【００８５】
すなわち、装置後方の切り起こし片９１ｃと第二支持部材９２のブラケット９５とは、装置上方から見たとき、対角線上になるように配置されている。これにより、スキャナ２００に水平方向の衝撃が加わったときに、装置後方の切り起こし片９１ｃと第二支持部材９２のブラケット９５とを回動軸として回動したとしても、スキャナ２００の先端がピン９３により第一支持部材９１の載置面部９１ａに固定されるため、スキャナ２００の移動を防止することができる。
【００８６】
このとき、第一支持部材９１とスキャナ２００に、嵌合凸部９４と嵌合凹部９７とが複数組形成され、画像形成装置本体１００上にスキャナ２００が取り付けられたとき、複数組の嵌合凸部９４が嵌合凹部９７にはめ込まれるようにすると、一層強固となり、スキャナ２００のゆがみ防止効果を高めることができる。
【００８７】
さて、以上説明した例では、この発明が電子写真方式を用いたカラー画像形成装置に適用される場合について説明したが、この発明が適用される画像形成装置は、必ずしも電子写真方式を用いたものに限るものではなく、またカラーに限るものでもない。さらに、画像形成装置が、複写機能とファクシミリ機能とプリンタ機能を併せて備える複合機である場合について説明したが、複写機能のみを有するいわゆる複写機であっても、ファクシミリ機能のみを有するいわゆるファクシミリであってもよい。
【００８８】
そして、第一支持部材９１の載置面部９１ａには、ピン９３をかしめや圧入により堅固に固定して、上向きに突出する嵌合凸部９４が形成されるが、ピンを用いずに、載置面部にエンボスやバーリングなどを行うことにより絞り加工を行って、上向きに突出する嵌合凸部が一体に形成されるようにしてもよい。また、嵌合凹部も、嵌合凸部がはまり込むものであれば、貫通孔に限らず、貫通しない凹みなどでもよい。
【図面の簡単な説明】
【００８９】
【図１】カラー画像形成装置の外観斜視図である。
【図２】図１に示すカラー画像形成装置のスキャナ上に自動原稿搬送装置が取り付けられ、給紙テーブル上に載置して設置された状態における内部構成図である。
【図３】上にスキャナが取り付けられた、図１および図２に示す画像形成装置本体内に備えられる構造体の外観斜視図である。
【図４】その構造体上に、上方からスキャナを取り付ける状態を示す斜視図である。
【図５】そのスキャナの筐体の底面に設ける嵌合凹部と、第一支持部材に形成した嵌合凸部との嵌合状態を示す説明図である。
【図６】その第一支持部材上へのスキャナの載置状態を示す部分斜視図である。
【図７】従来の画像形成装置の斜視図である。
【図８】上にスキャナが取り付けられた、図７に示す画像形成装置本体内に備えられる構造体の外観斜視図である。
【符号の説明】
【００９０】
１００    画像形成装置本体
２００    スキャナ
３００    胴内排紙空間
４００    自動原稿搬送装置
８４    構造体
８６    前側板
８７    後側板
９１    第一支持部材
９１ａ  載置面部
９１ｂ  側面部
９１ｃ  切り起こし片
９２    第二支持部材
９２ａ  起立板部
９２ｂ  腕板部
９２ｃ  絞り形状
９３    ピン
９４    嵌合凸部
９６    スキャナの筐体の底面
９７    嵌合凹部
９８    絞り形状
【図１】
2007293216.tif 000003
【図２】
2007293216.tif 000004
【図３】
2007293216.tif 000005
【図４】
2007293216.tif 000006
【図５】
2007293216.tif 000007
【図６】
2007293216.tif 000008
【図７】
2007293216.tif 000009
【図８】
2007293216.tif 000010